【手続補正書】
【提出日】平成25年10月18日(2013.10.18)
【手続補正１】
【補正対象書類名】明細書
【補正対象項目名】０００８
【補正方法】変更
【補正の内容】
【０００８】
本発明は、ユーザを識別するユーザ情報を含むデータテーブルを記憶する画像形成装置であって、ユーザ情報を受け付ける受付手段と、前記受付手段で受け付けたユーザ情報が前記データテーブルに含まれているかを判定する判定手段と、前記受付手段により受け付けたユーザ情報が、前記データテーブルに含まれていると判定される場合、前記データテーブルに含まれていない前記受付手段で受け付けたユーザ情報により特定されるユーザによる前記画像形成装置の使用を許可する使用許可手段と、を備えることを特徴とする。
【手続補正２】
【補正対象書類名】明細書
【補正対象項目名】０００９
【補正方法】変更
【補正の内容】
【０００９】
また、本発明は、ユーザを識別するユーザ情報を含むデータテーブルを記憶する画像形成装置の制御方法であって、前記画像形成装置の受付手段が、ユーザ情報を受け付ける受付工程と、前記画像形成装置の判定手段が、前記受付工程で受け付けたユーザ情報が前記データテーブルに含まれているかを判定する判定工程と、前記画像形成装置の使用許可手段が、前記受付工程により受け付けたユーザ情報が、前記データテーブルに含まれていると判定される場合、前記データテーブルに含まれていない前記受付工程で受け付けたユーザ情報により特定されるユーザによる前記画像形成装置の使用を許可する使用許可工程と、を備えることを特徴とする。
【手続補正３】
【補正対象書類名】明細書
【補正対象項目名】００１０
【補正方法】変更
【補正の内容】
【００１０】
また、本発明は、ユーザを識別するユーザ情報を含むデータテーブルを記憶する画像形成装置において実行可能なプログラムであって、前記画像形成装置を、ユーザ情報を受け付ける受付手段と、前記受付手段で受け付けたユーザ情報が前記データテーブルに含まれているかを判定する判定手段と、前記受付手段により受け付けたユーザ情報が、前記データテーブルに含まれていると判定される場合、前記データテーブルに含まれていない前記受付手段で受け付けたユーザ情報により特定されるユーザによる前記画像形成装置の使用を許可する使用許可手段として機能させることを特徴とする。
【手続補正４】
【補正対象書類名】特許請求の範囲
【補正対象項目名】全文
【補正方法】変更
【補正の内容】
【特許請求の範囲】
【請求項１】
ユーザを識別するユーザ情報を含むデータテーブルを記憶する画像形成装置であって、
ユーザ情報を受け付ける受付手段と、
前記受付手段で受け付けたユーザ情報が前記データテーブルに含まれているかを判定する判定手段と、
前記受付手段により受け付けたユーザ情報が、前記データテーブルに含まれていると判定される場合、前記データテーブルに含まれていない前記受付手段で受け付けたユーザ情報により特定されるユーザによる前記画像形成装置の使用を許可する使用許可手段と、
を備えることを特徴とする画像形成装置。
【請求項２】
前記使用許可手段により前記画像形成装置の使用が許可された場合、当該使用が許可されたユーザのユーザ情報を、前記データテーブルに追加登録するデータ追加手段をさらに備えることを特徴とする請求項１に記載の画像形成装置。
【請求項３】
前記データ追加手段は、さらに、
前記使用許可手段により画像形成装置の使用が許可されたユーザのユーザ情報に、前記判定手段により前記データテーブルに含まれていると判定されたユーザ情報を対応付けて登録することを特徴とする請求項２に記載の画像形成装置。
【請求項４】
前記受付手段により受け付けたユーザ情報で特定されるユーザによる前記画像形成装置の使用を承認するためのユーザ情報を、前記データテーブルから取得する取得手段と、
前記取得手段により取得されたユーザ情報から、前記画像形成装置の使用を承認するユーザとなるユーザのユーザ情報の選択を受け付ける選択受付手段と、
前記選択受付手段により選択を受け付けたユーザ情報に係るユーザを承認ユーザとして決定する承認ユーザ決定手段と、
をさらに備える特徴とする請求項１乃至３のいずれか１項に記載の画像形成装置。
【請求項５】
前記使用許可手段は、前記受付手段により受け付けたユーザ情報により特定されるユーザが、前記承認ユーザ決定手段により決定された承認ユーザに係るユーザ情報である場合、前記データテーブルに含まれていない前記受付手段で受け付けたユーザ情報により特定されるユーザによる前記画像形成装置の使用を許可することを特徴とする請求項４に記載の画像形成装置。
【請求項６】
ユーザを識別するユーザ情報を含む認証テーブルを記憶し、前記画像形成装置から受信したユーザ情報が前記認証テーブルに含まれるか否かを判定し、当該判定結果を前記画像形成装置に送信する認証サーバと接続され、
前記認証サーバとの通信の可否を判断する通信可否判断手段をさらに備え、
前記判定手段は、前記通信可否判断手段により前記認証サーバとの通信が不可能であると判断された場合に、前記受付手段で受け付けたユーザ情報が前記データテーブルに含まれるか否かを判定することを特徴とする請求項１乃至５のいずれか１項に記載の画像形成装置。
【請求項７】
前記受付手段で受け付けたユーザ情報を前記認証サーバに送信するユーザ情報送信手段と、
前記ユーザ情報送信手段で送信したユーザ情報が前記認証テーブルに含まれているか否かの判定結果を前記認証サーバから受信する判定結果受信手段と、
前記判定結果受信手段により受信した判定結果が、前記ユーザ情報送信手段で送信したユーザ情報が前記認証テーブルに含まれている旨の結果である場合に、その旨を当該ユーザ情報と対応付けてデータテーブルに登録する判定結果登録手段と、
をさらに備えることを特徴とする請求項６に記載の画像形成装置。
【請求項８】
前記データテーブルに含まれるユーザ情報のうち、前記判定結果登録手段により前記認証テーブルにユーザ情報が含まれている旨の結果が登録されたユーザ情報から、前記承認ユーザとなるユーザ情報の選択を受け付ける承認ユーザ選択受付手段をさらに備えることを特徴とする請求項７に記載の画像形成装置。
【請求項９】
ユーザを識別するユーザ情報を含むデータテーブルを記憶する画像形成装置の制御方法であって、
前記画像形成装置の受付手段が、ユーザ情報を受け付ける受付工程と、
前記画像形成装置の判定手段が、前記受付工程で受け付けたユーザ情報が前記データテーブルに含まれているかを判定する判定工程と、
前記画像形成装置の使用許可手段が、前記受付工程により受け付けたユーザ情報が、前記データテーブルに含まれていると判定される場合、前記データテーブルに含まれていない前記受付工程で受け付けたユーザ情報により特定されるユーザによる前記画像形成装置の使用を許可する使用許可工程と、
を備えることを特徴とする制御方法。
【請求項１０】
ユーザを識別するユーザ情報を含むデータテーブルを記憶する画像形成装置において実行可能なプログラムであって、
前記画像形成装置を、
ユーザ情報を受け付ける受付手段と、
前記受付手段で受け付けたユーザ情報が前記データテーブルに含まれているかを判定する判定手段と、
前記受付手段により受け付けたユーザ情報が、前記データテーブルに含まれていると判定される場合、前記データテーブルに含まれていない前記受付手段で受け付けたユーザ情報により特定されるユーザによる前記画像形成装置の使用を許可する使用許可手段として機能させることを特徴とするプログラム。